(57)【要約】      （修正有）【課題】ベース組立体が複数の案内溝を有してもよい計算装置用のシャーシを提供する。【解決手段】シャーシ３００のトップカバーは、複数の案内ピン３１０を有する。各案内ピンは、案内溝３０４に適応するように配置される。ベース組立体３０２及びトップカバーは、少なくともいくつかの案内溝に隣接するように位置するエラストマー３１２を含む。エラストマーは、案内ピンを押し付けることで、案内溝に案内ピンを進入させる。そのため、エラストマーは、ベース組立体とトップカバーとの間にある隙間を減少又は解消する。【選択図】図３
2020047243.tif 000002
【特許請求の範囲】
【請求項１】
複数の案内溝が形成されるベース組立体と、
前記案内溝に対応する複数の案内ピンを含むトップカバーと、
前記ベース組立体と前記トップカバーとがマッチング位置にあるとき前記案内溝のうちの少なくとも１つの案内溝に対応する前記案内ピンのうちの少なくとも１つの案内ピンを押し付けるように、前記案内溝のうちの少なくとも１つの案内溝に隣接するように位置する付勢要素と、
を含み、
また、前記複数の案内ピンは、前記ベース組立体と前記トップカバーが前記マッチング位置にあるときに、前記案内溝に位置する計算装置用のシャーシ。
【請求項２】
前記案内溝のうちの前記の少なくとも１つの案内溝は、前記案内溝が最終的に案内ピンの直径よりも小さい直径に達することで停止点が生じるように、開口部と端部との間で徐々に細くなる請求項１に記載のシャーシ。
【請求項３】
前記停止点は、前記ベース組立体と前記トップカバーの間にある隙間を定義するように、前記トップカバーを位置決めする請求項２に記載のシャーシ。
【請求項４】
前記付勢要素は、前記ベース組立体との締り嵌めを定義するように、前記トップカバーを位置決めする請求項１から請求項３のいずれか一項に記載のシャーシ。
【請求項５】
前記付勢要素が前記案内ピンのうちの少なくとも１つの案内ピンを押し付けることに寄与するように、さらにバネを含む請求項１から請求項４のいずれか一項に記載のシャーシ。
【請求項６】
前記バネは、前記付勢要素に組み込まれる請求項５に記載のシャーシ。
【請求項７】
前記付勢要素は、前記トップカバーと前記ベース組立体との摩擦力よりも大きい弾性力を有する請求項１から請求項６のいずれか一項に記載のシャーシ。
【請求項８】
前記案内溝の上壁及び下壁は、機能領域を定義し、前記案内ピンが機能領域内に位置決めされることで、前記トップカバーと前記ベース組立体との間にある目標最大隙間及び目標最小隙間を確保する請求項１から請求項７のいずれか一項に記載のシャーシ。
【請求項９】
前記付勢要素は、前記案内ピンが前記機能領域に保持されるように位置決めされる請求項８に記載のシャーシ。
【請求項１０】
前記案内溝は前記シャーシの互いに対向する側部に設けられる請求項１から請求項９のいずれか一項に記載のシャーシ。
【発明の詳細な説明】
【技術分野】
【０００１】
本開示は、計算装置用のシャーシに関し、特に計算装置シャーシにおけるエラストマーの配置に関する。
【背景技術】
【０００２】
計算装置、例えばサーバーは、計算装置の部品が搭載されたシャーシに包含される。これらのシャーシは、自動組立の方法で構築されてもよく、これは計算装置を製造する安価で効率的な方法を提供する。しかしながら、自動組立の方法は、通常、シャーシの部品の間にある隙間、例えば、組み立てるときのベース組立体とトップカバーとの間にある隙間を招いてしまう。これらの隙間は、計算装置の外見に影響したり、計算装置内の熱の冷却又は加熱の問題を招いたり、また、計算装置内の電磁干渉（ｅｌｅｃｔｒｏｍａｇｎｅｔｉｃ  ｉｎｔｅｒｆｅｒｅｎｃｅ；ＥＭＩ）をもたらすおそれがある。構造面の考慮から、トップカバーのサイズ又はベース組立体のサイズを増加させることにより、これらの隙間を小さくすることはできない。ベース組立体及びトップカバーの両方を互いに物理的に干渉し又は重なるように設計すると、この２つの部品の間に内部応力及び摩擦が存在するおそれがある。このような応力及び摩擦は、ベース組立体又はトップカバーに物理的破壊を与えてしまう。
【０００３】
従来の方法は、トップカバーをベース組立体にロックできるラッチ組立体を含むことによりシャーシ組立体の間にある隙間を解消することを試みた。しかしながら、ラッチ組立体がロックされても、トップカバーとベース組立体との間に隙間が依然として存在する。そのため、シャーシに構造の損壊を与えることなく、トップカバーとベース組立体との間にある隙間を封止することが可能な方法が必要である。
なお、本発明に関して記載すべき先行技術文献はない。出願人が知っている先行技術が文献公知発明に係るものではないからである。
【発明の概要】
【０００４】
本開示の内容における各実施例は、ベース組立体と、トップカバーと、付勢要素とを含む計算装置用のシャーシに関する。ベース組立体は、複数の案内溝を含んでもよい。トップカバーは、複数の案内溝に対応する複数の案内ピンを含んでもよい。ベース組立体とトップカバーがマッチング位置（整合位置）にある場合、案内ピンは案内溝に位置決めされてもよい。付勢要素は、複数の案内溝のうちの少なくとも１つの案内溝に隣接するように位置決めされてもよい。付勢要素は、マッチング位置で複数の案内溝のうちの少なくとも１つの案内溝に対応する複数の案内ピンのうちの少なくとも１つの案内ピンを押し付けることができる。
【０００５】
いくつかの実施形態において、付勢要素は、エラストマーを含んでもよい。
【０００６】
いくつかの実施形態において、複数の案内溝のうちの少なくとも１つの案内溝は、開口部と端部との間で徐々に細くなるものである。そのため、案内溝は、案内ピンの直径よりも小さい直径に達することで、停止点が生じる。この停止点は、トップカバーを位置決めすることにより、ベース組立体とトップカバーとの間にある隙間を定義することができる。
【０００７】
いくつかの実施形態において、エラストマーはトップカバーを位置決めすることで、それとベース組立体との締り嵌め（ｉｎｔｅｒｆｅｒｅｎｃｅ  ｆｉｔ）を定義する。
【０００８】
いくつかの実施形態において、シャーシ及びトップカバーは、付勢要素が少なくともいくつかの案内ピンを押し付けることに寄与するように、さらにバネを含んでもよい。バネは、付勢要素に組み込まれてもよい。
【０００９】
いくつかの実施形態において、付勢要素は、トップカバーとベース組立体との摩擦力よりも大きい弾性力を有してもよい。
【００１０】
いくつかの実施形態において、案内溝の上壁及び下壁で機能領域を定義し、案内ピンを機能領域内に位置決めしてもよい。このような位置決めは、トップカバーとベース組立体との間にある目標サイズの隙間を確保することができる。例えば、目標サイズは、目標の最大隙間を生じさせるために、最大の許容サイズであってもよく、目標の最小隙間を生じさせるために、最小の許容サイズであってもよい。付勢要素は、案内ピンが機能領域に保持されるように、位置決めされてもよい。機能領域は、付勢要素の配置が常に案内ピンの上に弾性力を提供するように、目標隙間の距離よりも大きいものであってもよい。
【００１１】
いくつかの実施形態において、目標隙間は、公称距離に所定の偏差を加算又は減算したものを含んでもよい。
【００１２】
いくつかの実施形態において、シャーシの対向する側に案内溝を提供してもよい。複数のエラストマーは、複数の案内溝の各々に隣接してもよい。
【図面の簡単な説明】
【００１３】
添付の図面は、本願の実施形態を例にとって説明し、かつ記述とともに発明の原理の解釈及び説明に用いられるものである。図面は、図解を以って例示的な実施形態の主な特徴を説明することを意図する。図面は、実際の実施形態の各特徴を図示することを意図するものではなく、示された要素の相対的なサイズを図示することを意図するものでもなく、かつ縮尺通りに描かれていない。
【図１Ａ】先行技術の既知の例示的なコンピュータシャーシ及びトップカバーを示す。
【図１Ｂ】先行技術の既知の例示的なコンピュータシャーシ及びトップカバーを示す。
【図１Ｃ】先行技術の既知の例示的なコンピュータシャーシ及びトップカバーを示す。
【図１Ｄ】先行技術の既知の例示的なコンピュータシャーシ及びトップカバーを示す。
【図２】本開示の内容の実施形態にかかる例示的な計算機シャーシのレイアウトを示す。
【図３】本開示の内容の実施形態にかかる例示的なエラストマーの配置を示す。
【図４Ａ】本開示の内容の実施形態にかかる計算機シャーシ及びトップカバーの目標隙間の例示的なサイズを示す。
【図４Ｂ】本開示の内容の実施形態にかかる案内ピン及び案内溝に対するエラストマーの配置を示す。
【図５Ａ】本開示の内容の実施形態にかかる例示的な案内ピンの案内溝及びエラストマーへの係合を示す。
【図５Ｂ】本開示の内容の実施形態にかかる例示的な案内ピンの案内溝及びエラストマーへの係合を示す。
【図５Ｃ】本開示の内容の実施形態にかかる例示的な案内ピンの案内溝及びエラストマーへの係合を示す。
【図６Ａ】本開示の内容の実施形態にかかる例示的な簡略化されたエラストマーの設計を示す。
【図６Ｂ】は、本開示の内容の実施形態にかかるバネを有する例示的なエラストマーを示す。
【発明を実施するための形態】
【００１４】
以下、添付の図面を参照して本発明を述べ、そのうち類似又は均等の要素を示すために全ての図面に類似の符号を用いる。図面は、縮尺通りに描かれておらず、本発明を説明するためにのみ用いられる。以下、説明するための例示的な応用を参照して、本発明のいくつかの側面を述べる。本発明の全面的な理解を提供するために、多くの具体的な詳細、関係、及び方法をここで述べることは認識されるべきである。しかし、当業者は、本発明は１つ又は複数の特定の詳細がない場合に実施することもしくは他の方法により実施することが可能であることを容易に認識することができる。他の場合では、本発明をわかりにくくしないように、公知の構造又は操作についてあまり詳細に示していない。本発明は、ある動作は他の動作又は事柄と異なる順序で及び／又は同時に発生する可能性があるため、示された動作又は事柄の順序に制限されない。また、本発明にかかる方法を実施するためには、全ての説明された動作又は事柄が必要なわけではない。
【００１５】
本開示の内容は、ベース組立体とトップカバーとの間にある隙間を減らすように設計されるエラストマーを含む計算装置のシャーシの設計に関する。エラストマーは、シャーシのベース組立体の案内溝に隣接するように位置決めされてもよい。トップカバーから案内溝が案内ピンを収容する際に、エラストマーは、トップカバーがシャーシのベース組立体に緊密に適応するように、案内ピンを押し付けることができる。そのため、本開示の内容は、シャーシのベース組立体とトップカバーとの間にある隙間を解消するために、機械的な解決策を提供する。このような隙間の解消は、計算機シャーシを通る気流の標準化に寄与し、より良い視覚的外観を作成し、並びに計算機シャーシの入口点に入るほこり及びかけらを減らす。
【００１６】
図１Ａ〜Ｄは、先行技術における既知の例示的な計算機シャーシ及びトップカバーを示す。従来の設計は、トップカバー１０２と、ラッチモジュール１０４と、シャーシのベース組立体１０６とを含む。図１Ａは、どのようにラッチモジュール１０４が開いたまま手動でトップカバー１０２をシャーシのベース組立体１０６に入れればよいかを示す。一旦トップカバー１０２はシャーシのベース組立体１０６（図１Ｂ）の上に配置されると、ラッチモジュール１０４（図１Ｃ）を開放することで、トップカバー１０２を位置固定することができる。トップカバー１０２とシャーシのベース組立体１０６との接続はマッチング位置と言える。
【００１７】
図１Ｄは、この従来の設計による、トップカバー１０２とシャーシのベース組立体１０６との間にある隙間（ｇａｐ）を示す。隙間は気流、ほこり及びかけらが計算機シャーシに入ることを可能にするため、計算機シャーシ設計において好ましくない。気流はシャーシのいずれの組立体に加熱及び冷却の問題を招き、かつほこり及び砕せつは計算機の組立体を壊してしまう。また、隙間は視覚的に魅力のないものである。
【００１８】
そのため、本開示の内容は、エラストマーを用いることにより隙間を小さくする装置を提供する。図２は、本開示の内容の実施形態にかかる例示的な計算機シャーシ２００を示す。本開示の内容の目的のために、例示的な計算機シャーシは、シャーシのベース組立体２０２と、案内溝２０４とを含んでもよい。案内溝は、上壁２０３と、下壁２０５と、開口部２０６と、端部２０８とを含んでもよい。案内溝２０４は、シャーシのベース組立体２０２に接続されるようにトップカバー（図示しない）に複数の位置を提供するために、シャーシのベース組立体２０２に沿う互いに対向する側部の外部に位置してもよい。図２は８つの案内溝２０４を示すが、任意の数の案内溝２０４を有してもよい。案内溝２０４は、上壁２０３及び下壁２０５を有してもよく、案内ピン２１０は上壁２０３及び下壁２０５によりスライドすることが可能である。案内溝２０４は、開口部２０６及び端部２０８を有してもよく、また、開口部２０６には案内ピン２１０が進入し、端部２０８は案内ピン２１０を収容する。端部２０８は、案内ピン２１０の直径とほとんど同じ幅を有してもよい。案内溝２０４は、案内溝２０４が最終的に案内ピン２１０の直径よりも小さい直径に達するように、開口部２０６と端部２０８との間で徐々に細くなってもよい。案内ピン２１０はさらに案内ピン２０４に進入することができないため、このポイントは停止点といえる。例示的な案内ピン２１０は、図２に示されるように、円柱形であってもよい。いくつかの実施例において、例示的な案内ピン２１０は他の特徴、例えば、スロット、リッジ、又はホックを有してもよいが、案内ピン２１０には、案内溝２０４に適応するための他の特徴が不要である。
【００１９】
図３は、本開示の内容の実施形態にかかる計算機シャーシにおける例示的なエラストマーの配置を示す。図３は、シャーシのベース組立体３０２、案内溝３０４、案内溝開口部３０６、案内溝端部３０８を含む、図２と同じ組立体を多く含む。また、図３は、案内ピン３１０及びエラストマー３１２を含む。案内ピン３１０はトップカバー（図示しない）に接続されてもよく、かつトップカバーはシャーシ３００とのマッチング位置に置かれた場合、案内ピン３１０を案内溝３０４に押すことができる。エラストマー３１２は案内溝３０４に隣接するように配置されてもよい。エラストマー３１２は全ての案内溝３０４に隣接するように配置されてもよく、又は選定された案内溝３０４のみに隣接するように配置されてもよい。エラストマー３１２が案内ピン３１０の進入により押し付けられることで、案内ピン３１０が安定して案内溝３０４の端部３０８に収容されることが可能である。これはさらに図５Ａ〜Ｃに示される。
【００２０】
そのため、図３に示される構造によれば、トップカバーに作用するエラストマーの力は存在してもよい。エラストマーの力は、シャーシのベース組立体のエラストマーの数によって変えてもよい。例えば、シャーシのベース組立体は案内溝を８つ有し、かつそれぞれの案内溝はエラストマーを有すると、トップカバーに加えられる全弾性力は、８つのエラストマー３１２の全てによる弾性力の合計となる。トップカバーが案内溝３０４に滑り込んだ場合、さらに、トップカバーに作用する摩擦力があり、トップカバーがシャーシ３００とのマッチング位置に進入することをこの摩擦力が阻止する。ただし、８つのエラストマー３１２は、摩擦力よりも大きい全弾性力を有してもよい。そのため、エラストマー３１２は、トップカバーとシャーシ３００とのマッチング位置を促進及び維持することができる。
【００２１】
図４Ａは、本開示の内容の実施形態にかかるトップカバー４１４とシャーシのベース組立体４０２と間にある隙間の例示的なサイズを示す。例えば、隙間は、公称距離Ｎと隙間の長さでの標準偏差Ｄであってもよい。
【００２２】
図４Ｂは、図４Ａに示される目標隙間のサイズに基づいて例示的なエラストマーを如何に設計することができるかを示す。図４Ｂは、案内溝４０４、案内溝開口部４０６、案内溝端部４０８、案内ピン４１０、及びエラストマー４１２を示す。これらの組立体は、図２及び図３に関して論じられた前記の組立体に類似している。注意すべきなのは、図４Ｂは、如何にエラストマー４１２を位置決めするかによって、案内ピン４１０を機能領域（ｆｕｎｃｔｉｏｎａｌ  ａｒｅａ）に固定することができるかを示す。機能領域は、公称距離Ｎの長さに標準偏差Ｄの長さを加算したものよりも大きいものであってもよい。いくつかの場合、機能領域は、公称距離Ｎから標準偏差Ｄの長さを減算したものであってもよい。エラストマー４１２は、案内ピン４１０が機能領域にあるたびにエラストマー４１２が案内ピン４１０に力を加えるように配置されてもよい。所望の公称距離Ｎ及び標準偏差Ｄにより、エラストマー４１２を位置決めすることができる。
【００２３】
そのため、案内溝４０４内の案内ピン４１０の静止位置で、図４Ａの隙間を最小化又は除去することができる。また、エラストマー４１２は、目標隙間のサイズを保証するように位置決めされてもよい。エラストマー４１２が案内ピン４１０により大きい圧力を加えた場合、トップカバーは前に向かってシャーシのベース組立体に押し付けられる。このような移動は、隙間のサイズを小さくする。
【００２４】
図５Ａ〜Ｃは、本開示の内容の実施形態にかかる、案内溝及びエラストマー５１２に係合される例示的な案内ピン５１０を示す。図５Ａ〜Ｃは、案内溝開口部５０６、案内溝５０８、案内ピン５１０、及びエラストマー５１２を含む。図５Ａ〜Ｃに示されるように、案内ピン５１０が案内溝に押し込まれた場合、案内ピン５１０は、エラストマー５１２の上部を滑り、その後案内溝端部５０８にとまる。図５Ｂは、案内ピン５１０が進入してエラストマー５１２と接した場合、エラストマー５１２がわずかに変形する可能性があることを示す。図５Ｃは、本開示の内容のいくつかの配置において、ハードストップライン（ｈａｒｄ  ｓｔｏｐ  ｌｉｎｅ）を提供してもよく、案内ピン５１０はハードストップラインで案内溝端部５０８の細くなる部分又は下方へ傾斜する部分に沿って滑らなくなってもよい。このハードストップラインは、案内ピン５１０の直径と案内溝端部５０８の幅が基本的に同じである位置にあってもよい。このハードストップラインは、シャーシに対するトップカバーのマッチング位置を制御する。
【００２５】
図５Ａ〜Ｃに示されるエラストマー５１２の位置は、トップカバーとシャーシのベース組立体が重なるように、シャーシのベース組立体とトップカバーとの間にある締り嵌めを定義することができる。ただし、ベース組立体及びトップカバーの物理的配置で生じた任意の応力はエラストマー５１２に吸収されるため、ベース組立体及びトップカバーは干渉によって損壊されることがなくなる。そのため、本開示の内容は、従来の設計よりも優れた利点を提供するが、従来の設計は、シャーシのベース組立体とトップカバーとの間にある適応による応力を吸収する装置を提供しない。
【００２６】
図６Ａは、本開示の内容の実施形態にかかる例示的な簡略化されたエラストマーの設計を示す。エラストマーの設計は、案内溝６０４と、案内溝端部６０８と、案内ピン６１０と、付勢要素６１４とを含んでもよい。付勢要素は、案内ピン６１０を押し付ける役割を果たすことができ、かつ案内ピン６１０の配置が案内溝６０４の端部６０８に保持されるように、案内ピン６１０を位置決めすることができる。
【００２７】
図６Ｂは、本開示の内容の実施形態にかかるバネを有する例示的なエラストマー６１２を示す。本開示の内容のこの実施形態は、案内ピン６１０と、エラストマー６１２と、バネ６１６とを含んでもよい。図６Ｂはエラストマー６１２におけるバネ６１６を示すが、バネ６１６が案内ピン６１０に圧力を加えるものであれば、バネ６１６は任意の配置にあってもよい。エラストマー６１２がトップカバーをシャーシのベース組立体に押し込んだ場合、バネ６１６は、エラストマー６１２の弾性力を増加させるために用いられてもよい。なお、バネ６１６は、トップカバーが重すぎてエラストマー６１２のみにより案内ピン６１０を案内溝６０４に案内することができない場合、エラストマー６１２に追加の支持を提供することができる。
【００２８】
以上、本発明の各実施例を述べたが、それらは実施例の形式のみで提示され、制限ではないことを理解すべきである。本発明の主旨や範囲を逸脱しない限り、本文の開示内容により、開示された実施例に対して種々変形を行うことが可能である。そのため、本発明の広さ及び範囲は、上記実施例のいずれかに制限されるべきではない。より厳密には、本発明の範囲は、添付の請求項及びその均等物によって定められるべきである。
【００２９】
１つ又は複数の実施形態について本発明を説明及び記述したが、当業者は、本明細書及び添付の図面を閲読及び理解した場合、均等の変形及び変更を想到する。なお、若干の実施形態のうちの１つ実施形態のみにおいて、本発明の特定の特徴が開示されたが、このような特徴は他の実施形態の１つ又は複数の他の特徴と組み合わされてもよく、これは任意の所定又は特定の応用に望ましくかつ有利である可能性がある。
【００３０】
ここで使用される用語は、特定の実施例を述べる目的のためにのみ使用されるものであり、本発明を制限することを意図するものではない。本文にて使用される単数形の「一」、「一つ」及び「前記」は、文脈に別途説明されていない限り、複数形を含むことも意図する。また、詳細な説明及び／又は請求項で使用される「包含される」、「包含する」、「備える」、「有する」、「含有する」という用語又はその変形について、これらの用語の意味は、包括的であり、「含む」という用語の形式に類似している。
【００３１】
特に定義されない限り、ここで使用されるすべての用語（技術用語及び科学用語を含む）は、当業者によって一般的に理解される意味と同様の意味を有している。また、例えば、一般的に使用される辞書で定義されたそれらの術語は、本文にで明確に定義されていない限り、それらが関連の技術の文脈における意味と一致する意味を有し、理想化された又は過度に正式な意義と解釈されないように、解釈されるべきである。
【符号の説明】
【００３２】
１０２：トップカバー
１０４：ラッチモージュル
１０６：シャーシのベース組立体
２００：シャーシ
２０２：ベース組立体
２０３：上壁
２０４：案内溝
２０５：下壁
２０６：開口部
２０８：端部
２１０：案内ピン
３００：シャーシ
３０２：シャーシのベース組立体
３０４：案内溝
３０６：開口部
３０８：端部
３１０：案内ピン
３１２：エラストマー
４０２：ベース組立体
４０４：案内溝
４０６：開口部
４０８：端部
４１０：案内ピン
４１２：エラストマー
４１４：トップカバー
５０６：開口部
５０８：端部
５１０：案内ピン
５１２：エラストマー
６０４：案内溝
６０８：端部
６１０：案内ピン
６１２：エラストマー
６１４：付勢要素
６１６：バネ
Ｄ：標準偏差
Ｎ：公称距離
【図１Ａ】
2020047243.tif 000003
【図１Ｂ】
2020047243.tif 000004
【図１Ｃ】
2020047243.tif 000005
【図１Ｄ】
2020047243.tif 000006
【図２】
2020047243.tif 000007
【図３】
2020047243.tif 000008
【図４Ａ】
2020047243.tif 000009
【図４Ｂ】
2020047243.tif 000010
【図５Ａ】
2020047243.tif 000011
【図５Ｂ】
2020047243.tif 000012
【図５Ｃ】
2020047243.tif 000013
【図６Ａ】
2020047243.tif 000014
【図６Ｂ】
2020047243.tif 000015